(57)【要約】  空調室内機（１）は、トップ側と、ボトム側と、トップ側とボトム側とを接続する側部（１１）とを有し、側部に吸気面が設けられている本体（１０）と、本体（１０）のボトム側の少なくとも一部を覆い、吹出口（３１）を有する吹出しパネル（３０）とを備える。空調室内機（１）は、本体（１０）の内部に配置され、軸線方向がトップ側と直交する軸流ファン（５０）を備える。軸流ファン（５０）の回転時、吸気側と吹出側とが形成され、吹出側が軸流ファン（５０）の下方に位置し、吹出側が吹出しパネル（３０）に向いている。空調室内機（１）は、吸気面の内側に位置し、軸流ファン（５０）を囲んで設けられている熱交換器（４０）と、軸流ファン（５０）の下方に設けられている電気部品（６０）とを備える。空調室内機（１）全体の高さが低減され、電気部品（６０）の装着とメンテナンスが便利になる。
2018235947.tif 000002
【特許請求の範囲】
【請求項１】
トップ側と、ボトム側と、前記トップ側と前記ボトム側とを接続する側部（１１）とを有し、前記側部に吸気面が設けられている、本体（１０）と、
前記本体の前記ボトム側の少なくとも一部を覆い、吹出口（３１）を有する、吹出しパネル（３０）と、
前記本体の内部に配置され、軸線方向が前記トップ側と直交する軸流ファンであって、前記軸流ファンの回転時、吸気側と吹出側が形成され、前記吹出側が前記軸流ファンの下方に位置し、前記吹出側が前記吹出しパネル（３０）に向いている、軸流ファン（５０）と、
前記吸気面の内側に位置し、前記軸流ファンを囲んで設けられている、熱交換器（４０）と、
前記軸流ファンの下方に設けられている、電気部品（６０）と、
を備える空調室内機（１）。
【請求項２】
前記電気部品（６０）を収容するための収容部（８０）、
をさらに備える、請求項１に記載の空調室内機。
【請求項３】
前記収容部（８０）は、少なくとも一部が、前記軸流ファン（５０）のフィン（５１）で囲まれた中心部に嵌め込まれている、
請求項２に記載の空調室内機。
【請求項４】
前記収容部（８０）の前記軸流ファン（５０）に面する一方の側には、導風構造が設けられている、
請求項２又は３に記載の空調室内機。
【請求項５】
前記導風構造は、導風片（８３）であり、
前記導風片（８３）は、前記収容部（８０）の縁部に設けられている、
請求項４に記載の空調室内機。
【請求項６】
前記導風構造は、吸込部（８１１）と吹出部（８１２）とを有する第１の導風片（８３１）を含み、
前記吹出部（８１２）が、前記吹出しパネル（３０）の隅部、及び/または、前記本体（１０）の隅部、に向かって歪んでいる、
請求項４に記載の空調室内機。
【請求項７】
前記軸流ファン（５０）は、気流が、前記吸気面から吸い込まれ、前記吹出口（３１）から吹き出されるように、第１の方向に回転し、
前記収容部（８０）は、支持ロッド（８５）によって前記本体（１０）または前記吹出しパネル（３０）に固定されており、
前記導風構造は、前記第１の方向において前記支持ロッド（８５）の下流に設けられている第１の導風片（８３１）を含む、
請求項４に記載の空調室内機。
【請求項８】
前記軸流ファン（５０）の軸線に直交する平面において、前記第１の導風片（８３１）における吹出部の端点にある接線と、前記支持ロッド（８５）が前記平面に投影された直線と、のなす角度がαであり、
５°≦α≦１５°
となる、
請求項７に記載の空調室内機。
【請求項９】
前記吹出しパネル（３０）は、隅部を有し、
前記支持ロッド（８５）は、前記隅部に対して、前記第１の方向において下流に向かって一定の距離でずれている、
請求項７または８に記載の空調室内機。
【請求項１０】
前記収容部（８０）の前記吹出しパネル（３０）における導風フィンに直交して延伸する中心線に対する前記支持ロッドの角度θは、１０°〜１５°の範囲となる、
請求項７から９のいずれか１項に記載の空調室内機。
【請求項１１】
前記第１の導風片（８３１）は、風上面（８１５）と、風下面（８１６）と、を有し、
前記第１の導風片（８３１）における吸気端点にある、前記風上面（８１５）の接線と、前記収容部（８０）の前記吹出しパネル（３０）における導風フィンに直交する中心線とのなす角度がβ１であり、
前記吸気端点にある、前記風下面（８１６）の接線と、前記収容部（８０）の前記吹出しパネル（３０）における導風フィンに直交する中心線とのなす角度がβ２であり、
β１がβ２よりも小さい、
請求項７から１０のいずれか１項に記載の空調室内機。
【請求項１２】
前記第１の導風片（８３１）における前記吸気端点にある、前記風上面（８１５）の接線と、前記収容部（８０）の中心線とのなす角度はβ１であり、
１３°≦β１≦２３°
となる、
請求項１１に記載の空調室内機。
【請求項１３】
前記第１の導風片（８３１）における前記吸気端点にある、前記風下面（８１６）の接線と、前記収容部（８０）の中心線とのなす角度はβ２であり、
２５°≦β２≦３５°
となる、
請求項１１または１２に記載の空調室内機。
【請求項１４】
前記導風構造は、導風片（８３）であり、
前記導風片（８３）は、前記収容部（８０）の縁部を超えて延伸する、
請求項４または５に記載の空調室内機。
【請求項１５】
前記軸流ファン（５０）は、気流が、前記吸気面から吸い込まれ、前記吹出口から吹き出されるように、第１の方向において回転し、
前記収容部（８０）は、前記第１の方向において前記第１の導風片（８３１）よりも下流に設けられている第２の導風片（８３２）、をさらに有し、
前記第１の導風片（８３１）と前記第２の導風片（８３２）は、気流を前記吹出しパネル（３０）における同一の側の導風フィンに案内するように設けられており、
前記第２の導風片（８３２）は、吸込部（８２１）と、吹出部（８２２）とを有し、
前記第２の導風片の吹出部（８２２）は、前記吹出しパネル（３０）における導風フィンと略直交する、
請求項６または７に記載の空調室内機。
【請求項１６】
前記収容部（８０）には、前記第１の方向において前記第２の導風片（８３２）よりも下流に設けられている第３の導風片がさらに設けられており、
前記第１の導風片（８３１）、前記第２の導風片（８３２）、および前記第３の導風片は、気流を前記吹出しパネル（３０）における同一の側の導風フィンに案内するように設けられている、
請求項１５に記載の空調室内機。
【請求項１７】
前記収容部（８０）は、中心線（Ａ）を有し、
前記第１の導風片（８３１）は、風上面（８１５）と、風下面（８１６）と、を有し、
前記第１の導風片（８３１）の前記風下面（８１６）における、距離が前記中心線（Ａ）に最も短い点にある接線（Ａ１）は、前記中心線（Ａ）に略平行となっている、
請求項６に記載の空調室内機。
【請求項１８】
前記収容部は、中心線（Ａ）を有し、
前記第１の導風片（８３１）の風上面（８１５）における吸気端点と吹出端点とを結ぶ線（Ａ２）は、前記中心線（Ａ）に略平行となっている、
請求項６又は１７に記載の空調室内機。
【請求項１９】
前記収容部は、中心点（Ｏ）を有し、
前記第２の導風片（８３２）は、風上面（８２１）と、風下面（８２２）と、を有し、
前記第２の導風片（８３２）の前記風下面（８２２）における吸気端点にある接線は、前記収容部（８０）の前記中心点（Ｏ）を通過する、
請求項１５に記載の空調室内機。
【請求項２０】
前記収容部は、中心点（Ｏ）を有し、
前記第２の導風片（８３２）は、前記収容部（８０）の縁部を超えて延伸し、
前記第２の導風片（８３２）は、風上面（８２１）と、風下面（８２２）と、を有し、
前記第２の導風片（８３２）の風上面（８２１）における吸気端点と吹出端点とを結ぶ線はＬ２であり、
前記第２の導風片（８３２）の前記風下面（８２２）と、前記収容部（８０）の前記縁部とは、第２の点において交差し、
前記第２の点と前記収容部（８０）の中心点（Ｏ）とを結ぶ線はＬ３であり、線Ｌ２は線Ｌ３に略平行となる、
請求項１５に記載の空調室内機。
【請求項２１】
前記収容部は、中心線（Ａ）を有し、
前記第２の導風片（８３２）は、風上面（８２１）と、風下面（８２２）と、を有し、
前記第２の導風片（８３２）は、前記収容部（８０）の縁部を超えて延伸し、
前記第２の導風片（８３２）の風上面（８２１）と、前記収容部（８０）の縁部とは、第１の点において交差し、
前記第１の点と前記第２の導風片（８３２）における吸気端点とを結ぶ線は、Ｌ４であり、
線Ｌ４と前記中心線（Ａ）とのなす角度は、α２であり、
１２°≦α２≦２５°
となる、
請求項１５に記載の空調室内機。
【請求項２２】
前記収容部（８０）は、方形であり、
前記導風構造は、導風片（８３）であり、
前記収容部（８０）の前記一方の側の縁に前記導風片（８３）がＮ個設けられている場合（Ｎが２以上の自然数）、前記導風片（８３）は、前記収容部（８０）の前記一方の側の縁をＮ＋１等分した位置に設けられている、
請求項４に記載の空調室内機。
【請求項２３】
前記導風片（８３）と、前記軸流ファン（５０）の軸線とは平行である、
請求項５に記載の空調室内機。
【請求項２４】
前記支持ロッド（８５）は、気流に面する風上側と、気流に背向する風下側と、を有し、
前記支持ロッド（８５）の前記風下側には、配線部が設けられている、
請求項７に記載の空調室内機。
【請求項２５】
前記吹出しパネル（３０）の中央部に設けられ、前記電気部品（６０）と位置合せが為されている蓋板（７０）、
をさらに備え、
前記電気部品（６０）は、電気ボックスと、制御装置と、ＬＥＤライトと、無線通信装置と、空気弁と、電動弁と、投影装置と、のうち、１つまたは複数を含む、
請求項１から２４のいずれか１項に記載の空調室内機。
【発明の詳細な説明】
【技術分野】
【０００１】
本願は、空調室内機に関する。
【背景技術】
【０００２】
従来の天井吊型の空調室内機は、室内の天井の内部に装着されている。吹出しパネルが天井の嵌合孔に嵌め合われている。そのような空調室内機は、通常にオフィス環境に使用されている。【０００３】
天井吊りで装着されている空調室内機は、壁面を使用せず、室内の家具レイアウトとは衝突しないので、広く使用されている。しかし、そのような空調室内機は、空調室内機の体積の大部分が天井の上方に収容されているので、空調室内機の装着に必要な天井の上方の空間が大きく求められ、一般的に４０ｃｍ以上の空間（空間の高さ）が求められている。そのため、天井吊型の空調室内機は、その高さ寸法を小型化する必要が依然として存在する。【０００４】
一方、天井吊型の空調室内機は、電気部品がケースの外部に設けられていることが一般的であるため、メンテナンスが非常に不便になる。さらに、天井吊型の空調室内機における吹出しパネルには、気流を室内の各方向へ均一に送風するように、通常、４方向に向かう吹出口が設けられている。しかし、従来の天井吊型の空調室内機による送風状態は、室内機の内部部材のレイアウトによって制限され、ファンの回転による気流が吹出口に向かって流れていないことがよくある。また、従来の天井吊型の空調室内機では、それぞれの吹出口の風量は均一でない。また、天井吊型の空調室内機による風が下向きに送風されることが一般的であり、送風の範囲が制限され、人の快適性は悪くなる。【０００５】
なお、吹出しパネルには、全周に亘って吹出口が設けられていることもあるが、吹出口は、各部分によって風量が異なり、風が全く吹き出されない部分もある（特に、四角形（方形）の吹出しパネルの隅部）。従って、依然として、従来の天井吊型の空調室内機を改良し、空調室内機による送風の均一性を向上させる必要がある。
【発明の概要】
【０００６】
従来技術の不備を解消するために、本発明の空調室内機は、本体と、吹出しパネルとを備える。本体は、トップ側と、ボトム側と、トップ側とボトム側とを接続する側部とを有し、側部に吸気面が設けられている。吹出しパネルは、本体のボトム側の少なくとも一部を覆い、吹出口を有する。本体の内部には、軸流ファンが配置される。軸流ファンは、軸線方向がトップ側と直交する。軸流ファンの回転時、吸気側と吹出側が形成され、吹出側が軸流ファンの下方に位置し、軸流ファンの吹出側が吹出しパネルに向いている。空調室内機は、熱交換器と電気部品とをさらに備える。熱交換器は、吸気面の内側に位置し、軸流ファンを囲んで設けられている。電気部品は、軸流ファンの下方に設けられている。
【０００７】
ここでは、電気部品が軸流ファンの下方に設けられているので、空調室内機の全体サイズは小型化される。すなわち、このような電気部品の設置位置によれば、空調室内機全体の高さが小さくなるほか、送出される気流に対する電気部品の影響も小さくなる。
【０００８】
本発明の別の態様では、空調室内機は、電気部品を収容するための収容部をさらに備える。このような収容部によれば、電気部品の装着構造が簡易となり、空調室内機の生産効率が向上する。
【０００９】
好ましくは、収容部は、少なくとも一部が、軸流ファンのフィンで囲まれた中心部に嵌め込まれている。収容部の取付けは、軸流ファンの中心部の空間が十分に活用され、空調室内機の全体の高さをさらに減らす。
【００１０】
好ましくは、収容部の軸流ファンに面する一方の側には、導風構造が設けられている。収容部に設けられた導風構造によれば、軸流ファンから吹き出された気流を吹出口に案内し、空調室内機による吹出しはスムーズかつ均一に近づく。
【００１１】
好ましくは、導風構造は、導風片である。導風片は、収容部の縁部に設けられている。導風片を用いることで、構造を簡素化して、加工が容易になる。また、気流を吹出しパネルの吹出口へ良好に案内することが可能となり、導風効果も良好になる。
【００１２】
好ましくは、導風構造は、吸込部と吹出部とを有する第１の導風片を含む。吹出部は、吹出しパネルの隅部及び/または本体の隅部に向かって歪んでいる。第１の導風片の吹出部が歪んで設けられることにより、軸流ファンから吹き出された気流を隅部に案内して、隅部からの吹き出しをスムーズにさせ、吹出しパネル全体による吹出しを均一にさせる。
【００１３】
好ましくは、軸流ファンは、気流が吸気面から吸い込まれ、吹出口から吹き出されるように、第１の方向に回転する。収容部は、支持ロッドによって本体または吹出しパネルに固定される。導風構造は、第１の導風片を含む。第１の導風片は、第１の方向において支持ロッドよりも下流に設けられている。ここでは、支持ロッドにより、収容部の固定強度が高まり、第１の導風片が支持ロッドよりも下流に設けられて支持ロッドより下流の気流を案内することにより、支持ロッドより下流の気流ロスが低減される。支持ロッドが上流側に設けられた場合と比べて、支持ロッドが下流側に設けられた場合には、気流に対する阻害がさらに小さくなる。
【００１４】
好ましくは、軸流ファンの軸線に直交する平面において、第１の導風片における吹出部の端点にある接線と、支持ロッドが平面に投影された直線とのなす角度をαとすると、
５°≦α≦１５°
となる。このような、吹出部にかかる角度の設定によれば、気流を隅部に案内することが容易になる。
【００１５】
好ましくは、吹出しパネルは隅部を有し、支持ロッドは、隅部から第１の方向において下流に向かって一定の距離でずれている。また、好ましくは、軸流ファンの軸線に直交する平面において、収容部の、吹出しパネルにおける導風フィンに直交して延伸する中心線に対する支持ロッドの角度θは、１０°〜１５°の範囲となる。このような、支持ロッドにかかる角度の設定によれば、支持ロッドの、隅部における気流に対する阻害をさらに低減することに寄与し、隅部における気流をスムーズにさせ、吹出しパネル全体による吹出しは均一になる。
【００１６】
好ましくは、第１の導風片における吸込部は、風上面と風下面とを含む。風上面の吸気端点にある接線と、収容部の吹出しパネルにおける導風フィンに直交する中心線とのなす角度がβ１である。吸気端点にある、風下面の接線と、収容部の吹出しパネルにおける導風フィンに直交する中心線とのなす角度がβ２である。そして、β１がβ２よりも小さい。第１の導風片における風上面の角度β１が、風上面側を流れる気流を隅部に案内しやすくなるように設定され、風下面の角度β２が、風下面側を流れる気流を隅部に案内するように設定され、β１がβ２よりも小さくされることは有利である。導風片の２つの側面が、気流が進行する第１の方向とマッチングするようになり、気流を吹出しパネルの隅部により良好に案内することに寄与する。
【００１７】
好ましくは、風上面の接線と、収容部の中心線とのなす角度をβ１とすると、
１３°≦β１≦２３°
となる。また、風下面の接線と、収容部の中心線とのなす角度をβ２とすると、
２５°≦β２≦３５°
となる。
【００１８】
好ましくは、導風片が、収容部の縁部を超えて延伸する。導風片は、収容部の中心点から縁部までの何れか一つの位置から、収容部の縁部に延伸する。
【００１９】
好ましくは、軸流ファンの軸線に対する径方向において、第１の導風片の外縁が、軸流ファンのフィンの外縁より径方向内側に位置する。これによって、気流を吹出口により良好に案内することができるとともに、導風片の気流に対する阻害を低減し、送風量を確保することができる。
【００２０】
本発明の別の一態様では、軸流ファンは、気流が吸気面から吸い込まれ、吹出口から吹き出されるように、第１の方向において回転する。収容部は、第１の方向において第１の導風片よりも下流に設けられている第２の導風片、をさらに含む。第１の導風片と第２の導風片は、気流を吹出しパネルにおける同一側の導風フィンに案内するように設けられている。第２の導風片は、吸込部と吹出部とを有する。第２の導風片の吹出部は、吹出しパネルにおける導風フィンと略直交する。互いに隔てられた第１の導風片と第２の導風片を設置することにより、気流が進行する第１の方向において各位置の気流を案内することが可能である。また、第２の導風片によって、気流を吹出しパネルの直線縁に案内し、吹出しパネルによる吹出しを均一にさせ、３６０°の送風効果を実現する。
【００２１】
本発明のさらに別の一態様では、収容部には、第１の方向において第２の導風片よりも下流に設けられている第３の導風片、がさらに設けられている。第１の導風片、第２の導風片、および第３の導風片は、気流を吹出しパネルにおける同一の側の導風フィンに案内するように設けられている。
【００２２】
本発明の更に別の一態様では、収容部は中心線を有する。第１の導風片は、風上面と風下面とを有する。第１の導風片の風下面における、距離が中心線に最も短い点、にある接線は、中心線に略平行となる。
【００２３】
本発明の更に別の一態様では、収容部は中心線を有し、第１の導風片の風上面における吸気端点と吹出端点とを結ぶ線は、中心線に略平行となる。
【００２４】
本発明の更に別の一態様では、収容部は中心点を有する。第２の導風片は、風上面と風下面とを含む。第２の導風片の風下面における吸気端点にある接線は、収容部の中心点を通過する。
【００２５】
本発明の更に別の一態様では、第２の導風片は、収容部の縁部を超えて延伸する。第２の導風片は、風上面と風下面とを有する。第２の導風片の風上面における吸気端点と吹出端点とを結ぶ線はＬ２であり、第２の導風片の風下面と、収容部の縁部とは、第２の点において交差する。第２の点と収容部の中心点とを結ぶ線はＬ３であり、線Ｌ２は線Ｌ３に略平行となる。
【００２６】
本発明の更に別の一態様では、第２の導風片は、風上面と風下面とを有する。第２の導風片は、収容部の縁部を超えて延伸する。第２の導風片の風上面は、収容部の縁部とは、第１の点において交差する。第１の点と第２の導風片における吸気端点とを結ぶ線はＬ４である。線Ｌ４と中心線とのなす角度はα２であり、
１２°≦α２≦２５°
となる。
【００２７】
本発明の更に別の一態様では、収容部は方形である。収容部の一方の側の縁に導風片がＮ個設けられている場合（Ｎが２以上の自然数）、導風片は、収容部の一方の側の縁をＮ＋１等分した位置に設けられている。
【００２８】
本発明の更に別の一態様では、収容部は方形である。収容部の一方の側の縁に導風片がＮ個設けられている場合（Ｎが２以上の自然数）、導風片の風下面と収容部の縁部との交点は、収容部の一方の側の縁をＮ＋１等分した位置に設けられている。収容部に均等に設けられた複数の導風片により、収容部の表面に沿って流れる気流が均一に分布されるようになる。
【００２９】
本発明の更に別の一態様では、導風片と、軸流ファンの軸線とは平行である。即ち、導風片は、収容部の軸流ファンに面する一方の側の面の縁に、略鉛直に配置されている。この導風構造の設置により、吹き出された気流が均一に分布されるようになり、本当に３６０°で送風することが実現される。
【００３０】
好ましくは、支持ロッドは、気流に面する風上側と、気流に背向する風下側とを有する。支持ロッドの風下側には、配線部が設けられている。収容部の取付け構造が簡単であり、支持ロッドは、気流に対する阻害が小さいものとなる。
【００３１】
本発明の更に別の一態様では、空調室内機は、蓋板をさらに備える。蓋板は、吹出しパネルの中央部に設けられ、電気部品と位置合せが為されている。電気部品は、電気ボックスと、制御装置と、ＬＥＤライトと、無線通信装置と、空気弁と、電動弁と、投影装置とのうち、１つまたは複数を含む。蓋板により、室内機の見栄えが向上し、電気部品に対しても更なる保護が提供されて安全性が向上する。
【００３２】
本発明における空調室内機によれば、軸流ファンにより、風が側部から吸い込まれ、ボトム側から吹き出されるようになる。そのため、空調室内機全体の鉛直方向のサイズを減少することが可能であり、天井の上方の空間の高さを低減することができる。冷却効率への要求を満たしながら、室内機全体の高さが低減されるようになる。空調室内機における吸込口と吹出口は同一の平面上に設けられていない。従来の室内機と比べて、本発明における室内機の水平方向のサイズは低減される。
【００３３】
例えば、統合天井のバックルプレートの仕様として、３００ｍｍ×３００ｍｍ、６００ｍｍ×６００ｍｍがある。取り付けが便利になるように、吹出しパネルは、６００ｍｍ×６００ｍｍよりも少し大きいサイズに設定されてもよい。一方、天井内に嵌め込まれるケースは、６００ｍｍ×６００ｍｍよりも少し小さいサイズに設けられてもよい。このようなサイズを有する空調室内機は、統合天井への装着に特に適用できる。本発明における空調室内機１は、３００ｍｍ×３００ｍｍの仕様の天井モジュールを４つ、または、６００ｍｍ×６００ｍｍの仕様の天井モジュールを１つ取り外してから、装着すればよい。天井モジュールに対して（穴開設のような）他の作業を施す必要はない。室内機本体のサイズは、４つの天井モジュールで形成された取付口よりも略小さいため、装着が容易になる。吹出しパネルのサイズは、４つの天井モジュールで形成された取付口よりも略大きいため、装着の見栄えが確保される。また、そのような空調室内機は、一体化された天井に開設された開口内に装着されてもよい。
【００３４】
さらに、本発明の空調室内機における電気部品は、軸流ファンの吹出側において吹出しパネルに密接して取り付けられている。このため、電気部品に対するメンテナンスが非常に便利になっており、吹出しパネルの中間部位の蓋板を取り外すだけで、天井の下方から操作できるようになる。
【００３５】
また、電気部品の収容部における支持ロッド及びその導風片の配置により、導風環と収容部の縁との間から吹き出された気流は、回転軸の回りで３６０°で均一に分布するようになる。同時に、ステッピングモータによって個別に制御される導風フィンとの共同作用で、空調室内機による吹出しは、スムーズかつ均一になり、省エネルギーにもなり、人の快適性を向上させる。
【００３６】
本発明における空調室内機では、軸流ファンの下方にある吹出側に位置する電気部品の収容部には、導風片が設けられている。このため、軸流ファンからの吹き出し気流が均一に分布するようになる。そして、導風片の吹出部は、特に、吹出しパネルの隅部または本体の隅部に向かって歪んでいるように設けられている。このような構成により、隅部における気流ロスの問題が解決され、吹出しパネルによる、３６０°で送風することが実現される。
【００３７】
また、収容部を保持するための支持ロッドは、本体または吹出しパネルの隅部に対して軸流ファンの回転方向において下流に向かって一定の距離でずれている。このため、隅部における気流に対する阻害が低減される。
【００３８】
また、収容部の縁部における導風片の吸込部と吹出部は、収容部の中心線に対して特定の角度に設定されており、吸込部における風上面と風下面は、中心線に対してなす角度が異なる。このため、気流が吹出口から極めて均一に吹き出されるようになる。人にかかる快適性も改善される。
【００３９】
また、本発明における空調室内機では、導風片による気流に対する阻害作用は極めて小さいから、その分で発生した騒音が低減される。
【図面の簡単な説明】
【００４０】
【図１】本発明に係る空調室内機を示す斜視図であり、一部の内部構造を示すように、吹出しパネルが除去されている。
【図２】本発明に係る空調室内機を示す側断面図である。
【図３】本発明に係る空調室内機における吹出しパネルを示す正面図である。
【図４】電気部品を収容するための収容部を示す立体図である。
【図５】電気部品を収容するための収容部を示す正面図である。
【図６Ａ】本発明に係る電気部品を収容して装着するための収容部の一部の詳細を示す拡大概略図である。
【図６Ｂ】本発明に係る電気部品を収容して装着するための収容部の一部の詳細を示す拡大斜視図である。
【図７】本発明に係る空調室内機を示す局部側面図であり、軸流ファンと収容部とを示す。
【図８】本発明に係る空調室内機を示す側断面図であり、吹出しパネルを示す。
【図９Ａ】本発明における別の好ましい実施例に係る空調室内機の収容部を示す平面図である。
【図９Ｂ】本発明における別の好ましい実施例に係る空調室内機の収容部を示す平面図である。
【発明を実施するための形態】
【００４１】
以下、具体的な実施例及び添付図面により、本発明をさらに説明する。下記の記載では、本発明を十分に理解するように、より多くの詳細を記入しているが、本発明は、その記載とは異なる種々の他の方式によって実施されてもよいことが明らかである。当業者は、本発明の主旨を逸脱することなく実際な応用状況に応じて、変更を加えることができるため、本発明の保護範囲はその具体的な実施例の内容により制限されるべきではない。
【００４２】
図１は、本発明に係る空調室内機１の装着状態を示す底面斜視図である。空調室内機１は、主に、本体１０と吹出しパネル３０（図３と図８を参照）との２部分を含む。本体１０は、通常、部屋の天井の内部に取り付けられるものである。吹出しパネル３０は、天井の下方において本体１０に取り付けられ、天井に開設された取付口を覆う。本体１０は、ケース１８と、本体内部部材を含むことが一般的である。ケース１８は、通常、金属製の外枠である。図１、図２に示すように、本体内部部材は、主に、導風環２１と排水盤６など、ケース１８の内部に設けられた固定部材を含む。本体内部部材は、ケース１８の内部に嵌合して取り付けられている。また、空調室内機１の本体１０は、熱交換器４０、軸流ファン５０及び電気部品６０をさらに含み、それらはいずれも、ケース１８で形成された内チャンバーに収容される。
【００４３】
図１に示すように、空調室内機１は、全体が、略直方体形状を呈している。つまり、空調室内機１は、その水平方向の断面が略正方形である。図３に示すように、吹出しパネル３０は、略正方形であり、空調室内機１における直方体形状の本体１０に嵌合して使用される。本発明における好ましい実施例では、空調室内機１の本体１０は、トップ側、トップ側に対向するボトム側、及び、トップ側とボトム側との間に接続されている４つの側部１１を含む。本発明に係る空調室内機１の通常の装着状態では、本体１０は、トップ側が上向きで、ボトム側が下向きであり、本体１０のボトム側は吹出しパネル３０に接続されている。本体１０の側部１１には、気流が流れ込む吸気面が形成される。一方、本体１０のボトム側の吹出しパネル３０には、吹出口３１が設けられ、気流が流出される送風面が形成される。
【００４４】
図８に示すように、吹出しパネル３０は、内枠３５、外枠３３、内枠３５と外枠３３との間を介す吹出口３１、および、吹出しパネル３０に枢支された導風フィン３２を含む。図示されている吹出しパネル３０は正方形であるが、他の多角形形状であってもよい。空調室内機１の吹出しパネル３０には、吹出口３１が設けられており、気流が流出される送風面が形成される。
【００４５】
ケース１８のトップ側には、孔がない蓋板を含んでもよい。蓋板は、通常、金属製のものである。金属製の蓋板には、若干のリブが配置されて補強構造としてもよい。本発明に係る空調室内機１には、軸流ファン５０を使用する時、即ち、軸流ファン５０が作動する時、フィン５１は、空気がファン５０の軸線と同じ方向に流れるように、その空気を押す。図２に示すように、軸流ファン５０は、その回転軸線がケース１８のトップ側に略直交し、軸流ファン５０の吹出側が吹出しパネル３０の送風面に向かうように、取り付けられている。空調室内機１の運転時、軸流ファン５０のフィン５１は、気流がケース１８の側部の吸気面から吸い込まれ、軸流ファン５０の軸線方向に沿って導風環２１を通過して吹出しパネル３０に供給され、最終的に、吹出しパネル３０の吹出口３１から流出されるように、回転軸線回り（例えば第１の方向である図５中の時計回り方向）に回動する。本発明における導風経路では、空調室内機１のケース１８のトップ側には、特に大きい面積の気流吸込口を設ける必要がない。
【００４６】
さらに、図２に示すように、空調室内機１の熱交換器４０は、ケース１８の吸気面に沿って軸流ファン５０を囲んで設けられている。熱交換器４０は、空調室内機１の気流経路に沿って、ケース１８の吸気面と軸流ファン５０の吸気側との間に位置する。吸気面を介して空調室内機１に進入した気流は、熱交換器４０で熱交換された後、軸流ファン５０に進入する。熱交換器４０は、軸流ファン５０を囲んで延伸することが好ましい。
【００４７】
本発明における好ましい実施例では、図２に示すように、本体１０における導風部材は、主に、導風環２１を含む。導風環２１は、軸流ファン５０のフィン５１を囲んでおり、そのフィン５１と略同軸に配置されている。導風環２１は、外へ拡張する吸気縁と、外へ拡張する吹出し縁と、を含む。排水盤２６は、凝縮水を収集するように、熱交換器４０の下方に配置されている。また、導風部材は、吹出しパネル３０と排水盤２６との間に設けられた導風内枠（図示せず）をさらに含んでもよい。
【００４８】
１つの好ましい実施例では、排水盤２６は、発泡材料で製造されており、導風環２１は樹脂材料で製造されている。排水盤２６と導風環２１とを一体に成形してもよい。導風環２１の吸気縁と吹出し縁は、ともに、排水盤２６に接続されている。導風環２１の吹出し縁は、排水盤２６の、吹出しパネル３０に対向する下面、に接続されている。排水盤２６と導風環２１が１つの本体内部部材として一体に形成されているので、取り付けの時、当該部材をケース１８の内部に嵌め合わせるだけで、排水盤２６と導風環２１の取付けを完了させることができる。
【００４９】
図３は、本発明に係る空調室内機１における吹出しパネル３０を示す正面図である。図３から分かるように、吹出しパネル３０は略正方形である。吹出口３１は、正方形全体の周縁を囲んで設けられている。具体的には、吹出しパネル３０には、各吹出口３１が台形となっている。４つの台形の吹出口３１は、吹出しパネル３０の周囲を囲んで配置されている。吹出口３１の側辺同士が、互いに隣接して、３６０°の吹出口が形成される。好ましくは、隣接した吹出口３１の間は、導風フィン３２を枢支することにより保持する支持部３３によって隔てられる。各吹出口３１には、複数の導風フィン３２が取り付けられている。導風フィン３２は、吹出しパネル３０の縁とは略平行である。導風フィン３２の各々の長さは、外から内に向かうとともに徐々に小さくなる。吹出しパネル３０の支持部３３は、導風フィン３２を枢支することにより支持している。導風フィン３２は、モータによる制御で、指令に応じて、閉鎖位置と開放位置との間で回動する。
【００５０】
図示されている吹出しパネル３０は方形であるが、他の多角形であってもよい。吹出しパネルが多角形に設定された場合でも、吹出口は、依然として吹出しパネルの全周を囲んで設けられ、３６０°の吹出口が形成されるべきである。例えば、吹出しパネル３０は、多角形または円形に構成されてもよい。
【００５１】
好ましくは、導風フィンの駆動装置は、ステッピングモータを含む。ステッピングモータは、特に、吹出しパネル３０の内側、且つ、導風フィン３２の長手方向の略中央部の位置に設けられる。特に、一つの吹出口３１における導風フィン３２は、一つのステッピングモータにより、個別に駆動制御される。そのようなステッピングモータの設置は、特に吹出しパネル３０による全方位の吹出しの実現に寄与するとともに、異なる方向の導風フィン３２への個別な制御を実現することが可能であり、導風効果を最適化し、快適性を向上させる。
【００５２】
本発明における空調室内機１は、電気部品６０をさらに含む。ここでいう電気部品６０は、電気ボックスと、制御装置と、ＬＥＤライトと、無線通信装置（例えば、WIFI、ブルートゥース、Zigbeeなど；登録商標）と、空気弁と、電動弁と、投影装置とのうち、１つまたは複数を含んでいる。空調室内機全体の小型化を実現しながら、電気部品６０のメンテナンスを容易にするために、電気部品６０は、軸流ファン５０の吹出側に配置されている。図１から分かるように、電気部品６０は、軸流ファン５０の軸方向の略真下に配置されている。気流の流路からみれば、電気部品６０は、軸流ファン５０の下流、且つ、吹出しパネル３０の吹出口３１の上流に配置されている。
【００５３】
図１と図２に示す電気部品６０は、電気ボックス６１である。電気ボックス６１は、通常、方形の金属ボックスで構成されている。図２に示すように、吹出口３１は、電気部品６０の周囲に配置されている。電気ボックス６１の底部は、吹出しパネル３０の平面（下面）と基本的に同一にされている。吹出しパネル３０の中間部位に取外し可能に設けられた蓋板７０は、電気ボックス６１と略揃えられている。電気ボックス６１の底部は、蓋板７０に密接してもよい（図３を参照）。
【００５４】
本発明の実施例では、電気ボックス６１は、収容部８０の内部に取り付けられることにより、軸流ファン５０の吹出側に配置されている。図４と図５は、本発明の好ましい実施例に係る、電気部品の収容部８０を示す。図４と図５に示すように、収容部８０は、略方形の外輪郭を有するが、収容部８０の形状はこれに限らず、例えば、収容部８０の外輪郭が円形であってもよい。収容部８０は、全体的にみれば、伏せたディスク状の容器に類似する。収容部８０の軸流ファン５０に対向する側（即ち、収容部８０の外側）は、全体的にみれば、外へ突出した「凸」字状の凸面８６に形成される。凸面８６は、連続的な外へ突出したアーク状の表面であってもよいし、突起した截頭円錐形状であってもよいし、トップ部が小さくて、ボトム部が大きな、他の突起した形状であってもよい。凸面８６のトップ部は、軸流ファン５０のフィン５１の最下端よりも高くなる。好ましくは、凸面８６の周囲の縁部は、水平に延伸して形成された水平延伸部８８を有する。吹出しパネル３０における導風フィン３２が閉鎖した状態では、水平延伸部８８は、吹出しパネル３０に設けられた導風フィン３２と水平に位置を合わせるので、ほこりが入るのを防ぐことができることに加えて、吹出しパネルの見栄えも確保することができる。
【００５５】
収容部８０は、吹出しパネル３０の一方の側（即ち、収容部８０の内側）に凹んで取付面が形成され、電気部品６０は締結具（図示せず）により当該取付面に取り付けられている。
【００５６】
本実施例では、電気部品６０は、電気ボックス６１であり、図１から分かるように、電気ボックス６１全体は、収容部８０の凹んだ取付面に取り付けられている。或いは、電気部品の固定を容易にするように、収容部８０の取付面を平面にしてもよい。空調室内機１の全体の高さを低減させるために、本発明の好ましい実施例では、電気部品６０を収容するための収容部８０は、少なくとも一部が、軸流ファン５０のフィン５１で囲まれた中心凹部に嵌め込まれている。特に、収容部８０の外へ突出した凸面８６は、少なくとも一部が、軸流ファン５０のフィン５１で囲まれた中心凹部に嵌め込まれる。図２に示す空調室内機１の側断面図から分かるように、収容部８０の最頂部は、軸流ファン５０のフィン５１の最下縁が位置する平面よりも高い。好ましくは、収容部８０の凸面８６の最も突出した部分は、軸流ファン５０の軸線に位置が合わされる。これによって、室内機の高さ全体が低減され、吊り天井の内部に余っている空間の高さが小さくて済み、室内機の装着空間が小さくされ、天井が低すぎることに起因した圧迫感を避けることができる。
【００５７】
図１、図４、図５に示すように、収容部８０は、複数の支持ロッド８５により、空調室内機１の本体１０または吹出しパネル３０に固定されている。好ましい実施例では、収容部８０は、支持ロッド８５により、導風環２１に支持される。支持ロッド８５の他端が収容部８０の外へ突出した凸面８６の縁に固定されているので、収容部８０は導風環２１に対して固定される。
【００５８】
電気部品６０の収容部８０は、複数の支持ロッド８５により、空調室内機１の本体１０または吹出しパネル３０に固定されている。好ましくは、本体内部部材の導風部材または排水盤に収容部８０が固定されている。図１に示すように、好ましくは、収容部８０は、支持ロッド８５により、導風環２１に支持されている。支持ロッド８５の一端が導風環２１の吹出し縁に固定されており、支持ロッド８５の他端が収容部８０の外へ突出した凸面８６の縁に固定されているので、収容部８０は導風環２１に対して固定される。
【００５９】
好ましくは、収容部８０、支持ロッド８５及び導風環２１は、樹脂材料で一体に構成される。その場合に、収容部８０は、本体内部部材の一部として形成される。好ましくは、収容部８０と導風環２１が一体に形成される。空調室内機１の組立時、軸流ファン５０がケース１８の内部に取り付けられると、収容部８０と導風環２１とは、ともにケース１８の内部に嵌め合われるようになるとともに、収容部８０は軸流ファン５０の吹出側に位置するようになる。そして、電気部品６０は、収容部８０の取付面に取り付けられることが可能である。この場合、収容部８０により、軸流ファン５０と電気部品６０とが隔てられるようになる。この態様の代りに、収容部８０は、支持ロッド８５の端部に設けられた締結部によって導風環２１に接続されてもよい。この場合、本発明の収容部及び導風環を用いることにより、構造が簡素化されることに加えて、取付は便利になり、強度も高くなる。この態様の代りに、収容部８０は、支持ロッド８５により、排水盤２６の吹出しパネル３０に対向するボトム側の面に固定されてもよい。好ましい実施例では、収容部８０が空調室内機１の内部に取り付けられると、収容部８０の隅部は吹出しパネル３０の隅部に位置が合せられるようになるとともに、収容部８０の直線縁は、本体１０の側部１１及び吹出しパネル３０の直線縁に対向するようになる。図１には、四つの支持ロッド８５が示されている。図４と図５からわかるように、四つの支持ロッド８５は、収容部８０の正方形輪郭の対角線に近い位置に位置しているが、ちょうど隅部に設置されてはおらず、対角線に対し、同じ方向（時計回り方向）にずれている。具体的には、隅部に対して軸流ファン５０の回転方向の下流に一定の距離だけずれている。つまり、支持ロッド８５は、吹出しパネル３０の隅部または本体２０の隅部に対して、軸流ファン５０の回転方向の下流に一定の距離でずれている。これにより、支持ロッドに起因する、隅部を流れる気流に対する阻害が低減される。
【００６０】
この実施例では、収容部８０は、ケース１８の内部において、収容部８０の隅部がケースの隅部に対向し、収容部８０の直線縁がケース１８の側部１１に対向するように取り付けられている。つまり、支持ロッド８５は、本体１０の矩形状断面の対角線に対して、ずれている。ここで、支持ロッド８５がずれている方向は、軸流ファン５０の吹き出し方向に沿った方向である。具体的には、隅部からずれて設けられた支持ロッド８５は、軸流ファン５０の回転軸線の径方向に沿って延伸するのではなく、径方向から軸流ファン５０の回転方向に一定の角度で傾斜している。例えば、図５に示すように、平面視では、軸流ファン５０は、時計回り方向に回転するので、吸引された気流が時計回り方向の風量を有する。それに対応して、支持ロッド８５は、軸流ファン５０の径方向に対して時計回り方向に傾斜している。支持ロッド８５がちょうど対角線の位置に設置されている態様と比べると、支持ロッド８５がずれて設けられることにより、気流が軸流ファン５０の回転軸線の周りで均一に分布するようになり、隅部における気流への阻害が低減される。特に、吹出しパネル３０は、図３に示すように、吹出口がパネルの全周回りに設けられた場合、支持ロッド８５がずれて設置されることにより、隅部における風量が吹出しパネル３０の直線縁における風量とは明らかに異なることを避けることができる。図５に示すように、好ましい実施例では、収容部８０の、吹出しパネル３０における導風フィン３２に直交した中心線Ａに対する支持ロッド８５の角度θは、１０°〜１５°の範囲となる。好ましくは、角度θは、１２.５°である。このように設置することにより、支持ロッドの、隅部における気流に対する阻害が低減されることに加えて、支持ロッド８５そのものを利用して気流を隅部に案内することもできる。
【００６１】
より重要なのは、支持ロッド８５を対角線に対してずれて設置することと、収容部８０の外へ突出した凸面における導風片８３との共同作用で、気流が回転軸線の周りで３６０°で均一に分布するようになることである。
【００６２】
図４から分かるように、収容部８０の外へ突出した凸面の縁には、複数の導風片８３が設けられており、軸流ファン５０から吹出された気流が均一に分布するように、それらの導風片８３は、軸流ファン５０の軸線とは略平行で縁に配置されている。図４に示すような実施例では、導風構造として用いられる導風片８３は計８つであり、各側の縁には、２つの導風片８３が配置されている。各導風片８３は外へ突出した凸面８６の縁に鉛直に設けられている。各導風片８３は、それぞれ気流が流れる方向にずれてもよい。また、導風片８３の数を変更してもよい。例えば、各縁には、３つの導風片が設けられてもよい。各導風片８３は、軸流ファン５０に向ける吸気端と、吸気端と対向する吹出端とを有する。送風気流が均一に分布するように各導風片８３を特定的に調整するため、導風片８３を、軸流ファン５０の径方向に対してずれて設けている。これにより、気流を、気流の集中されている側から、気流のロスがある側へ案内させる。本実施例では、空調室内機１の隅部における気流が弱いため、図４に示すように、幾つかの導風片８３（一般的には、支持ロッド８５に接近したもの）の吹出端が、隅部にずれるようにする。これに対応して、収容部８０がケース１８の内部に取り付けられた場合、それらの導風片８３の吹出端は、空調室内機１の吹出しパネル３０の隅部に向けるようにずれている。
【００６３】
図４と図５から分かるように、収容部８０の軸流ファン５０に面する一つの側面の縁部には、複数の導風片８３が設けられている。好ましくは、それらの導風片８３は収容部８０と一体に成形されるが、他の固定方法で収容部８０の縁部に固定されてもよい。それらの導風片８３は、気流案内構造として用いられる。例えば、詳しく後述するように、導風片８３には、特定的に角度が設定されており、このような設定により、送風気流が吹出しパネル３０の吹出口３１から均一に導出されるようになる。
【００６４】
収容部８０は、軸流ファン５０の軸線に直交する平面において、略方形である輪郭を有する。これに対応して、収容部８０は、４つの側辺と４つの隅部を有する。収容部８０が、図７に示すような方形の吹出しパネル３０を有する空調室内機１の方形の本体１０に取り付けられた場合、収容部８０の隅部は、それぞれ、吹出しパネル３０の隅部と基本的に位置合せされる。
【００６５】
吹出しパネル３０は、隅部を有しており、軸流ファン５０による気流が吹出される時、吹出しパネル３０の隅部を流れる風量が僅かである。支持ロッド８５を、吹出しパネル３０の隅部または本体２０の隅部に対して、軸流ファン５０の回転方向の下流に一定の距離でずれて配置することにより、気流を吹出しパネル３０の隅部に案内させることができる。
【００６６】
図６Ａに示すように、収容部８０の各側辺には、２つの導風片、即ち、第１の導風片８３１と第２の導風片８３２が備わる。第１の導風片８３１は、収容部８０の中心線Ａの右側にある。第２の導風片８３２は、収容部８０の中心線Ａの右側にある。ここで、収容部の中心線Ａとは、本体１０の横方向断面（即ち、軸流ファン５０の軸線に垂直な平面）における、収容部８０の中心を介して吹出しパネル３０の導風フィン３２に垂直な、または、直交する軸線である。
【００６７】
図６Ａに示すように、第１の導風片８３１は、吸込部８１１と吹出部８１２とを含む。吹出部８１２は、収容部８０の隅部に向かって歪んでおり、これに対応して、吹出しパネル３０の隅部または本体１０の隅部にも向かって歪んでいる。図６Ｂに示すように、第１の導風片８３１の吹出部８１２は薄く作られているので、気流を吹出部８１２に集中させることに寄与し、気流が分離されてしまうことを避ける。図６Ａに示す平面において、第１の導風片８３１における吹出部８１２の吹出端点にある接線と、同一側辺にある支持ロッドが当該平面に投影された直線とのなす角度がαであり、
５°≦α≦１５°
好ましくは、
７°≦α≦１０°
より好ましくは、
α＝８.５°
である。
【００６８】
さらに、第１の導風片８３１は、吸込部８１１が、吹出部８１２よりも厚い。第１の導風片８３１の吸込部８１１は、風上面８１５と風下面８１６とを含む。風上面８１５の吸気端点にある接線と、中心線Ａとのなす角度がβ１であり、風下面８１６と、中心線Ａとのなす角度がβ２であり、β１がβ２よりも小さい。好ましくは、角度β１が１３°以上であって２３°以下であるとともに、角度β２が２５°以上であって、３５°以下である。より好ましくは、角度β１が１８.５°であり、角度β２が３０.８°である。
【００６９】
また、図６Ａに示すように、第１の導風片８３１の風下面における中心線Ａから最も距離が短い点にある接線Ａ１は、中心線Ａに略平行である。
【００７０】
また、第１の導風片８３１の吸気端点と吹出端点とを結ぶ線Ａ２は、中心線Ａと略平行である。
【００７１】
第１の方向おいて、第１の導風片８３１は、支持ロッド８５より下流に設けられており、第１の導風片と、収容部８０の中心線Ａとの距離が、支持ロッド８５と、収容部８０の中心線Ａとの距離よりも小さいため、前記第１の導風片８３１は、収容部８０の中心線Ａにより近い気流を吹出しパネル３０の隅部に案内させることができる。
【００７２】
支持ロッド８５と第１の導風片８３１による共同作用で、軸流ファン５０から吹出された気流は、吹出しパネル３０の隅部により多く、且つ、均一に案内される。
【００７３】
また、図７に示すように、軸流ファン５０の軸線方向において、導風片８３１の外縁から軸流ファン５０のフィン５１までの最小距離がＬ１であり、好ましくは、
１０ｍｍ≦Ｌ１≦２０ｍｍ
であり、より好ましくは、
Ｌ１＝１５ｍｍ
である。
【００７４】
図６から分かるように、収容部８０の同一の側辺において、第２の導風片８３２は、第１の導風片８３１より下流に設けられている。第２の導風片８３２と第１の導風片８３１との間の距離はＤであり、通常、Ｄ≧６０ｍｍとなる。
【００７５】
第２の導風片８３２の設定された角度は、第１の導風片８３１とは異なる。第２の導風片８３２も同じように、吸込部８２１と吹出部８２２とを有する。第２の導風片８３２の吹出部８２２は、収容部８０の側辺に略垂直であり、それに対応して、吹出部８２２も、吹出しパネル３０における導風フィン３２に垂直である。これによって、気流がその吹出部８１２に沿って鉛直に吹出口に流れるようになる。
【００７６】
また、図６Ａに示すように、第２の導風片８３２の吸込部８２１は、中心線Ａに向かって歪んでいる。吸込部８２１は、風上面と風下面とを有する。吸込部８２１の風上面の吸気端点にある接線と、中心線Ａとの角度β３は、吸込部８２１の風下面の吸気端点にある接線と、中心線Ａとの角度β４よりも小さい。
β３＜β４
好ましくは、第２の導風片８３２は、風上面と風下面とを含む。第２の導風片８３２の風下面の吸気端点にある接線は、収容部８０の中心点Ｏを通過する。好ましくは、収容部８０の中心点Ｏは軸流ファン５０の回転軸線に位置する。
【００７７】
上記のようにすることに加えて、又は、代えて、図９Ａに示すようにしてもよい。図９Ａでは、風上面において、第２の導風片８３２の吸気端点と吹出端点とを結ぶ線はＬ２である。第２の導風片８３２の風下面と、収容部８０の縁部とは、中心点Ｏと結ぶ線がＬ３である第２の点において交差している。そして、好ましくは、線Ｌ２は線Ｌ３に略平行となる。
【００７８】
上記のようにすることに加えて、又は、代えて、図９Ｂに示すようにしてもよい。図９Ｂでは、第２の導風片８３２の風上面と収容部８０の縁部とは、第１の点において交差する。第１の点と第２の導風片８３２の風上面にある吸気端点とを結ぶ線Ｌ４と、中心線Ａとのなす角度は、α２である。そして、
１２°≦α２≦２５°
となる。好ましくは、
１５°≦α２≦２０°
となり、より好ましくは、
α２＝１８.５°
である。
【００７９】
また、収容部８０のサイズが比較的大きい場合、好ましくは、軸流ファン５０の回転方向に、第２の導風片８３２よりも下流に１つの第３の導風片（図示せず）をさらに設けて、さらに導風効果を優先させてもよい。第３の導風片も、同じように、吸込部と吹出部とを有する。そして、第３の導風片の吹出部が吹出しパネル３０における導風フィン３２に略垂直となるように設けられている。
【００８０】
方形の収容部８０は、収容部８０の一方の側縁に導風片８３がＮ個設けられている場合（Ｎが２以上の自然数）、導風片８３が、収容部８０の一方の側縁をＮ＋１等分した位置に設けられる。好ましくは、導風片８３がＮ個設けられている場合（Ｎが２以上の自然数）、導風片８３の風下面と縁部との交点が、収容部８０の一方の側縁をＮ＋１等分した位置に設けられる。図７によると、導風片８３は、収容部８０の縁を超えて延伸することがわかる。好ましくは、径方向に延伸する距離は、ファン５０のフィン５１の径方向外縁を超えていない。言い換えれば、軸流ファン５０の軸線に対する径方向において、導風片８３の外縁が、軸流ファン５０のフィン５１の外縁の径方向内側に位置する。
【００８１】
好ましくは、１つの収容部８０におけるすべての導風片８３は、径方向の最外端が、軸流ファン５０の回転軸線を囲んでいる同一の円周に位置し、当該円周が導風環２１と同心である。
【００８２】
空調室内機１の高さ全体を低減させるために、図２に示すように、本発明の好ましい実施例では、電気部品６０を配置するための収容部８０は、少なくとも一部が軸流ファン５０のフィン５１で囲まれた中心凹部に嵌め込まれる。特に、収容部８０の外へ突出した凸面８６は、少なくとも一部が、軸流ファン５０のフィン５１で囲まれた中心凹部に嵌め込まれる。図２に示す空調室内機１の側断面図から分かるように、収容部８０の最頂部は、軸流ファン５０のフィン５１の最下縁にある平面よりも高い。そして、図７に示すように、収容部８０における導風片は、フィン５１の下方に位置し、導風片８３の径方向外縁は、フィン５１の径方向外縁よりも内側に位置する。すなわち、平面視では、導風片８３はフィン５１の径方向外縁を超えないように延伸している。
【００８３】
また、説明する必要があるものとして、導風片８３は、吹出しパネル３０における吹出口３１の位置まで延伸しない。収容部８０における導風片８３の延伸する範囲は、吹出しパネル３０の内枠３５を超えない。そうすると、内枠３５は、導風片８３の径方向外縁の下方に位置し、導風片８３により導出された気流は、吹出口まで流れる前に集中し、気流が分離されてしまうことがない。
【００８４】
図８は、本発明における他の好ましい実施例を示す。この実施例では、吹出しパネル３０は、内枠３５と、外枠３３と、内枠３５と外枠３３との間を介する吹出口３１と、吹出しパネル３０に枢支されて取り付けられた導風フィン３２とを含む。吹出しパネル３０の外枠３３は、導風環２１の吹出口よりも下流に位置する案内部３６を含む。案内部３６は、斜め面、または、外へ突出したアーク面を有する。好ましくは、案内部３６は、軸流ファン５０の回転軸線回りに一周に亘って延伸する。
【００８５】
案内部３６は、吹出しパネル３０の外枠３３と一体化された一部である。案内部３６は、１つの個別部材として設けられており、例えば、樹脂で一体に成型される。個別部材が、係合構造または締結具などの固定装置により、吹出しパネルに嵌合され、外枠３３の一部として形成されることも仮定できる。
【００８６】
収容部８０の上側の凸面８６と、案内部３６との間には、送風通路が形成されている。この送風通路により、気流が、導風環２１から、吹出しパネル３０における吹出口に、スムーズに流れるようになる。図８から分かるように、収容部８０における導風片８３は、凸面８６と案内部３６とで形成された送風通路の中で延伸する。
【００８７】
本発明における空調室内機１では、軸流ファン５０の下方にある吹出側に位置する電気部品の収容部８０には、導風片８３が設けられている。このため、軸流ファン５０からの吹き出し気流は、均一に分布するようになる。特に、導風片８３の吹出部８１２が、吹出しパネル３０の隅部または本体１０の隅部に歪んでいるように設けられることにより、隅部における気流ロスの問題は解決され、吹出しパネルによる３６０°の送風を実現した。
【００８８】
収容部８０を保持するための支持ロッド８５は、本体１０または吹出しパネル３０の隅部に対して、軸流ファンの回転方向に下流に一定の距離でずれている。このため、隅部における気流に対する阻害が低減される。
【００８９】
収容部８０の縁部における導風片８３の吸込部と吹出部８１２は、収容部８０の中心線に対して特定の角度に設定され、吸込部における風上面と風下面は中心線に対してなす角度が異なる。このため、気流は、吹出口から極めて均一に吹き出されるようになっており、人の快適性を最大に改善する。
【００９０】
また、本発明における空調室内機１では、導風片８３による気流に対する阻害作用は極めて小さく、その分の発生した騒音が最低限に低減される。
【００９１】
支持ロッド８５による気流への阻害作用を低減させるために、好ましくは、支持ロッド８５の、気流に向いている風上面を、外へ突出したアーク状に形成する。または、支持ロッド８５の、その延伸方向に垂直な断面を、二つの先端が尖って、中央部が粗くなったオリーブ形状に設置する。
【００９２】
また、図６Ｂに示すように、支持ロッド８５の風上面は突出したアーク状面であり、支持ロッドによる、隅部における気流に対する阻害をさらに低減させる。収容部８０における電気部品６０には配線が必要である。電気部品６０のケーブルの配列を容易にするために、支持ロッド８５の気流に背向する風下面に配線部、例えば、ケーブル収容溝を形成してもよい。電気部品６０にかかるケーブルを、支持ロッド８５の風下面に沿って配列することによって、ケーブルの配置が便利になることに加えて、ケーブルによる、隅部における気流に対する阻害が低減する。
【００９３】
一方、支持ロッド８５は、収容部８０から、軸流ファン５０の回転軸線から離れる方向へ延伸する。その延伸方向において、支持ロッド８５は、徐々に細くなっており、気流に対する阻害作用をさらに低減させて、気流を均一に分布するように案内することになる。
【００９４】
他の実施の形態として、収容部８０は、吹出しパネル３０に対して固定されてもよい。具体的には、収容部８０の縁が、吹出しパネル３０の裏面に接続され、蓋板７０が、収容部８０の取付面を直接に覆ってもよい。蓋板７０は、係合構造により、吹出しパネル３０に接続されることが好ましい。収容部８０の内部における電気部品６０に対してメンテナンスまたは交換を行う必要がある場合、天井の下方から蓋板７０を取り外す（吹出しパネル３０から）だけで、メンテナンス作業をすることができる。
【００９５】
図３に示すように、吹出しパネル３０の吹出口３１の中間位置にある蓋板７０は方形であるが、他の形状であってもよい。蓋板７０は、樹脂成形されることが一般的である。例えば、収容部８０の中に、ＬＥＤライトを直接に取り付け、蓋板７０として透明な樹脂で製造したものを用いることで、ＬＥＤライトからの光が透明な蓋板７０を通して射出されるようにしてもよい。
【００９６】
また、本発明における空調室内機１は、他の変化態様で変更しても良い。例えば、空調室内機は全体として、円柱形に形成されてもよい。空調室内機の本体は、円柱形に形成され、円筒形のケースを有する。軸流ファンと、熱交換器と、排水盤と、導風部材とは、円筒形のケースの内部に収容されている。吹出しパネルは、円形に形成されることが好ましい。吹出口は吹出しパネルの周囲に設けられている。円柱状の本体の円弧側部に吸気面が形成され、電気部品は同様に、軸流ファンの下方に設けられる。
【００９７】
本発明における空調室内機１によれば、軸流ファン５０により、風が側部１１から吸い込まれ、ボトム側から吹き出されるようになる。そのため、空調室内機全体の鉛直方向のサイズが減少し、天井裏の高さを低減することができる。例えば、一実施例では、空調室内機１の全体の高さが３００ｍｍ以下に維持されたままで、冷却効率は所定の要求を満足することができる。
【００９８】
取り付けを容易にするために、吹出しパネルは、６４０ｍｍ×６４０ｍｍの方形に設定されてもよい。一方、天井内に嵌め込まれるケース１８は、５８０ｍｍ×５８０ｍｍのサイズで設けられてもよい。このようなサイズを有する空調室内機１は、統合天井への装着に特に適用できる。統合天井のバックルプレートの仕様として、主に３００ｍｍ×３００ｍｍ、６００ｍｍ×６００ｍｍがある。本発明における空調室内機１は、天井モジュールを取り外してから、装着されてもよい。例えば、３００ｍｍ×３００ｍｍの場合、天井モジュールを４つ、６００ｍｍ×６００ｍｍの場合、天井モジュールを１つ取り外し、天井に対して他の作業を施す必要がない。パネルは、ちょうど開口のスリットをカバーするサイズを有する。また、このような空調室内機１は、一体化された天井に開設された開口内に装着されてもよい。
【００９９】
また、本発明の空調室内機１における電気部品６０は、軸流ファン５０の吹出側において、吹出しパネル３０に密接して取り付けられている。このため、電気部品６０に対するメンテナンスが非常に便利であり、吹出しパネル３０の中間部位にある蓋板７０を取り外すだけで、天井の下方から操作できるようになる。
【０１００】
また、電気部品６０の収容部８０の支持ロッド８５及びその導風片８３の配置により、導風環２１の縁と収容部８０の縁との間から吹き出された気流が、回転軸線の周りで３６０°で均一に分布するようになっている。ステッピングモータによって個別に制御される導風フィン３２との共同作用により、空調室内機１による吹出しは、スムーズかつ均一であり、省エネルギーにもなっており、人の快適性を向上させる。
【０１０１】
本発明は、以上のように、好ましい実施例で開示されているが、本発明を限定する意図はない。当業者は、本発明の主旨及び範囲から逸脱することなく可能である変更及び修正を行うことができる。従って、本発明の技術案から逸脱しない内容、本発明の技術実質に基づいて以上の実施例に対して行われた変更、同等変化および修飾であれば、いずれも、本発明の請求項に限定されている保護範囲内にあるものである。
【符号の説明】
【０１０２】
１  室内機
１０  本体
１１  側部
１８  ケース
２１  導風部材（導風環）
２６  排水盤
３０  吹出しパネル
３１  吹出口
３２  導風フィン
３３  外枠
３５  内枠
３６  案内部
４０  熱交換器
５０  軸流ファン
５１  フィン
６０  電気部品
６１  電気ボックス
７０  蓋板
８０  収容部
８３  導風片
８３１  第１の導風片
８１１  第１の導風片における吸込部
８１２  第１の導風片における吹出部
８１５  第１の導風片における吸込部の風上面
８１６  第１の導風片における吸込部の風下面
８３２  第２の導風片
８２１  第２の導風片における吸込部
８２２  第２の導風片における吹出部
８５  支持ロッド
８６  凸面
８８  水平延伸部
【図１】
2018235947.tif 000003
【図２】
2018235947.tif 000004
【図３】
2018235947.tif 000005
【図４】
2018235947.tif 000006
【図５】
2018235947.tif 000007
【図６Ａ】
2018235947.tif 000008
【図６Ｂ】
2018235947.tif 000009
【図７】
2018235947.tif 000010
【図８】
2018235947.tif 000011
【図９Ａ】
2018235947.tif 000012
【図９Ｂ】
2018235947.tif 000013
【手続補正書】
【提出日】令和1年12月9日(2019.12.9)
【手続補正１】
【補正対象書類名】特許請求の範囲
【補正対象項目名】全文
【補正方法】変更
【補正の内容】
【特許請求の範囲】
【請求項１】
トップ側と、ボトム側と、前記トップ側と前記ボトム側とを接続する側部（１１）とを有し、前記側部に吸気面が設けられている、本体（１０）と、
前記本体の前記ボトム側の少なくとも一部を覆い、吹出口（３１）を有する、吹出しパネル（３０）と、
前記本体の内部に配置され、軸線方向が前記トップ側と直交する軸流ファンであって、前記軸流ファンの回転時、吸気側と吹出側が形成され、前記吹出側が前記軸流ファンの下方に位置し、前記吹出側が前記吹出しパネル（３０）に向いている、軸流ファン（５０）と、
前記吸気面の内側に位置し、前記軸流ファンを囲んで設けられている、熱交換器（４０）と、
前記軸流ファンの下方に設けられている、電気部品（６０）と、
を備える空調室内機（１）。
【請求項２】
収容部（８０）、
をさらに備える、請求項１に記載の空調室内機。
【請求項３】
前記収容部（８０）は、少なくとも一部が、前記軸流ファン（５０）のフィン（５１）で囲まれた中心部に位置する、
請求項２に記載の空調室内機。
【請求項４】
前記収容部（８０）の前記軸流ファン（５０）に面する一方の側には、導風構造が設けられている、
請求項２又は３に記載の空調室内機。
【請求項５】
前記導風構造は、導風片（８３）であり、
前記導風片（８３）は、前記収容部（８０）の縁部に設けられている、
請求項４に記載の空調室内機。
【請求項６】
前記導風構造は、吸込部（８１１）と吹出部（８１２）とを有する第１の導風片（８３１）を含み、
前記吹出部（８１２）が、前記吹出しパネル（３０）の隅部、及び/または、前記本体（１０）の隅部、に向かって歪んでいる、
請求項４に記載の空調室内機。
【請求項７】
前記軸流ファン（５０）は、気流が、前記吸気面から吸い込まれ、前記吹出口（３１）から吹き出されるように、第１の方向に回転し、
前記収容部（８０）は、支持ロッド（８５）によって前記本体（１０）または前記吹出しパネル（３０）に固定されており、
前記導風構造は、前記第１の方向において前記支持ロッド（８５）の下流に設けられている第１の導風片（８３１）を含む、
請求項４に記載の空調室内機。
【請求項８】
前記軸流ファン（５０）の軸線に直交する平面において、前記第１の導風片（８３１）における吹出部の端点にある接線と、前記支持ロッド（８５）が前記平面に投影された直線と、のなす角度がαであり、
５°≦α≦１５°
となる、
請求項７に記載の空調室内機。
【請求項９】
前記吹出しパネル（３０）は、隅部を有し、
前記支持ロッド（８５）は、前記隅部に対して、前記第１の方向において下流に向かって一定の距離でずれている、
請求項７または８に記載の空調室内機。
【請求項１０】
前記収容部（８０）の前記吹出しパネル（３０）における導風フィンに直交して延伸する中心線に対する前記支持ロッドの角度θは、１０°〜１５°の範囲となる、
請求項７から９のいずれか１項に記載の空調室内機。
【請求項１１】
前記第１の導風片（８３１）は、風上面（８１５）と、風下面（８１６）と、を有し、
前記第１の導風片（８３１）における吸気端点にある、前記風上面（８１５）の接線と、前記収容部（８０）の前記吹出しパネル（３０）における導風フィンに直交する中心線とのなす角度がβ１であり、
前記吸気端点にある、前記風下面（８１６）の接線と、前記収容部（８０）の前記吹出しパネル（３０）における導風フィンに直交する中心線とのなす角度がβ２であり、
β１がβ２よりも小さい、
請求項７から１０のいずれか１項に記載の空調室内機。
【請求項１２】
前記第１の導風片（８３１）における前記吸気端点にある、前記風上面（８１５）の接線と、前記収容部（８０）の中心線とのなす角度はβ１であり、
１３°≦β１≦２３°
となる、
請求項１１に記載の空調室内機。
【請求項１３】
前記第１の導風片（８３１）における前記吸気端点にある、前記風下面（８１６）の接線と、前記収容部（８０）の中心線とのなす角度はβ２であり、
２５°≦β２≦３５°
となる、
請求項１１または１２に記載の空調室内機。
【請求項１４】
前記導風構造は、導風片（８３）であり、
前記導風片（８３）は、前記収容部（８０）の縁部を超えて延伸する、
請求項４または５に記載の空調室内機。
【請求項１５】
前記軸流ファン（５０）は、気流が、前記吸気面から吸い込まれ、前記吹出口から吹き出されるように、第１の方向において回転し、
前記収容部（８０）は、前記第１の方向において前記第１の導風片（８３１）よりも下流に設けられている第２の導風片（８３２）、をさらに有し、
前記第１の導風片（８３１）と前記第２の導風片（８３２）は、気流を前記吹出しパネル（３０）における同一の側の導風フィンに案内するように設けられており、
前記第２の導風片（８３２）は、吸込部（８２１）と、吹出部（８２２）とを有し、
前記第２の導風片の吹出部（８２２）は、前記吹出しパネル（３０）における導風フィンと略直交する、
請求項６または７に記載の空調室内機。
【請求項１６】
前記収容部（８０）には、前記第１の方向において前記第２の導風片（８３２）よりも下流に設けられている第３の導風片がさらに設けられており、
前記第１の導風片（８３１）、前記第２の導風片（８３２）、および前記第３の導風片は、気流を前記吹出しパネル（３０）における同一の側の導風フィンに案内するように設けられている、
請求項１５に記載の空調室内機。
【請求項１７】
前記収容部（８０）は、中心線（Ａ）を有し、
前記第１の導風片（８３１）は、風上面（８１５）と、風下面（８１６）と、を有し、
前記第１の導風片（８３１）の前記風下面（８１６）における、距離が前記中心線（Ａ）に最も短い点にある接線（Ａ１）は、前記中心線（Ａ）に略平行となっている、
請求項６に記載の空調室内機。
【請求項１８】
前記収容部は、中心線（Ａ）を有し、
前記第１の導風片（８３１）の風上面（８１５）における吸気端点と吹出端点とを結ぶ線（Ａ２）は、前記中心線（Ａ）に略平行となっている、
請求項６又は１７に記載の空調室内機。
【請求項１９】
前記収容部は、中心点（Ｏ）を有し、
前記第２の導風片（８３２）は、風上面（８２１）と、風下面（８２２）と、を有し、
前記第２の導風片（８３２）の前記風下面（８２２）における吸気端点にある接線は、前記収容部（８０）の前記中心点（Ｏ）を通過する、
請求項１５に記載の空調室内機。
【請求項２０】
前記収容部は、中心点（Ｏ）を有し、
前記第２の導風片（８３２）は、前記収容部（８０）の縁部を超えて延伸し、
前記第２の導風片（８３２）は、風上面（８２１）と、風下面（８２２）と、を有し、
前記第２の導風片（８３２）の風上面（８２１）における吸気端点と吹出端点とを結ぶ線はＬ２であり、
前記第２の導風片（８３２）の前記風下面（８２２）と、前記収容部（８０）の前記縁部とは、第２の点において交差し、
前記第２の点と前記収容部（８０）の中心点（Ｏ）とを結ぶ線はＬ３であり、線Ｌ２は線Ｌ３に略平行となる、
請求項１５に記載の空調室内機。
【請求項２１】
前記収容部は、中心線（Ａ）を有し、
前記第２の導風片（８３２）は、風上面（８２１）と、風下面（８２２）と、を有し、
前記第２の導風片（８３２）は、前記収容部（８０）の縁部を超えて延伸し、
前記第２の導風片（８３２）の風上面（８２１）と、前記収容部（８０）の縁部とは、第１の点において交差し、
前記第１の点と前記第２の導風片（８３２）における吸気端点とを結ぶ線は、Ｌ４であり、
線Ｌ４と前記中心線（Ａ）とのなす角度は、α２であり、
１２°≦α２≦２５°
となる、
請求項１５に記載の空調室内機。
【請求項２２】
前記収容部（８０）は、方形であり、
前記導風構造は、導風片（８３）であり、
前記収容部（８０）の前記一方の側の縁に前記導風片（８３）がＮ個設けられている場合（Ｎが２以上の自然数）、前記導風片（８３）は、前記収容部（８０）の前記一方の側の縁をＮ＋１等分した位置に設けられている、
請求項４に記載の空調室内機。
【請求項２３】
前記導風片（８３）と、前記軸流ファン（５０）の軸線とは平行である、
請求項５に記載の空調室内機。
【請求項２４】
前記支持ロッド（８５）は、気流に面する風上側と、気流に背向する風下側と、を有し、
前記支持ロッド（８５）の前記風下側には、配線部が設けられている、
請求項７に記載の空調室内機。
【請求項２５】
前記吹出しパネル（３０）の中央部に設けられ、前記電気部品（６０）と位置合せが為されている蓋板（７０）、と、
前記電気部品（６０）を収容するための収容部（８０）と、
をさらに備え、
前記電気部品（６０）は、電気ボックスと、制御装置と、ＬＥＤライトと、無線通信装置と、空気弁と、電動弁と、投影装置と、のうち、１つまたは複数を含む、
請求項１から２４のいずれか１項に記載の空調室内機。
【国際調査報告】
2018235947.tif 000014
2018235947.tif 000015
2018235947.tif 000016